(57)【特許請求の範囲】
【請求項１】
複数のモニタを設置するための家具であって、
それぞれの垂直方向の長さが前記モニタの垂直方向の長さと略同じになるように仕切り部材により仕切られて、前記家具の筐体の向かい合う２側面に開口するように形成された垂直方向に並ぶ複数の棚を有し、
複数の前記棚の一部または全部は、それぞれ、
前記モニタを固定する部材であって、水平方向に直線状に並べられた複数の前記モニタを、互いに固定的となるように連結可能な連結部材と、
前記連結部材を前記家具の筐体に対して回転可能に固定し、前記連結部材を回転させることにより、前記連結部材に固定されたモニタを全て同時に、前記筐体の任意の側面方向を向くように回転させる回転部材と
を有する家具。
【請求項２】
前記モニタは、前記連結部材の裏面からの螺子止めにより、前記モニタの背面が前記連結部材の前面に対して固定される
請求項１に記載の家具。
【請求項３】
前記家具は、前記家具の筐体によって、空間を分割するパーティションとして設置される
請求項１に記載の家具。
【請求項４】
前記棚は前記家具の筐体の中央付近に設けられ、前記筐体の前記棚の両横部分は、補強用部材により形成される
請求項１に記載の家具。
【請求項５】
前記モニタの背面を隠蔽するための壁部材を有する
請求項１に記載の家具。
【発明の詳細な説明】
【技術分野】
【０００１】
本発明は家具に関し、特に、モニタを設置可能な棚を有し、モニタの設置の有無によるデザイン性の低下を抑制することができるようにした家具に関する。
【背景技術】
【０００２】
従来、AV（Audio Visual）ラックのように、テレビジョン受像機等の家庭用電化製品を設置するための家具が存在する（例えば、特許文献１参照）。
【０００３】
【特許文献１】特開２００４−８１５３８号公報
【発明の開示】
【発明が解決しようとする課題】
【０００４】
しかしながら、このようなAVラックにおいては、所定の数のモニタが設置された場合のデザインについて考慮されているのみであり、モニタが設置されていない場合についてのデザインは考慮されていない。従って、モニタが設置されていないと、単に無駄な空きスペースが生じてしまい、家具としてのデザイン性が低下してしまう恐れがあった。
【０００５】
本発明は、このような状況に鑑みてなされたものであり、モニタを設置可能な棚を有し、モニタの設置の有無によるデザイン性の低下を抑制することができるようにするものである。
【課題を解決するための手段】
【００１４】
本発明の一側面は、複数のモニタを設置するための家具であって、それぞれの垂直方向の長さが前記モニタの垂直方向の長さと略同じになるように仕切り部材により仕切られて、前記家具の筐体の向かい合う２側面に開口するように形成された垂直方向に並ぶ複数の棚を有し、複数の前記棚の一部または全部は、それぞれ、前記モニタを固定する部材であって、水平方向に直線状に並べられた複数の前記モニタを、互いに固定的となるように連結可能な連結部材と、前記連結部材を前記家具の筐体に対して回転可能に固定し、前記連結部材を回転させることにより、前記連結部材に固定されたモニタを全て同時に、前記筐体の任意の側面方向を向くように回転させる回転部材とを有する家具。
【００１５】
前記モニタは、前記連結部材の裏面からの螺子止めにより、前記モニタの背面が前記連結部材の前面に対して固定されるようにすることができる。
【００１６】
前記家具は、前記家具の筐体によって、空間を分割するパーティションとして設置されるようにすることができる。
【００１７】
前記棚は前記家具の筐体の中央付近に設けられ、前記筐体の前記棚の両横部分は、補強用部材により形成されるようにすることができる。
前記モニタの背面を隠蔽するための壁部材を有することができる。
【００１８】
本発明の一側面においては、それぞれの垂直方向の長さがモニタの垂直方向の長さと略同じになるように仕切り部材により仕切られて、筐体の向かい合う２側面に開口するように形成された垂直方向に並ぶ複数の棚が設けられ、その棚の一部または全部には、それぞれ、モニタを固定する部材であって、水平方向に直線状に並べられた複数のモニタを、互いに固定的となるように連結可能な連結部材と、連結部材が家具の筐体に対して回転可能に固定され、連結部材を回転させることにより、連結部材に固定されたモニタを全て同時に、筐体の任意の側面方向を向くように回転させる回転部材とが設けられる。
【発明の効果】
【００１９】
本発明の側面によれば、モニタを設置することができる。特に、モニタの設置の有無によるデザイン性の低下を抑制することができるようにするものである。
【発明を実施するための最良の形態】
【００２９】
図１は、本発明を適用したAV（Audio Visual）ラックの実施形態の構成を表している。
【００３０】
図１のAVラック１は、テレビジョン受像機やビデオレコーダ等のAV機器（家庭用電化製品）を設置可能な家具である。図１に示されるように、AVラック１は、直方体状の筐体１０を有している。筐体１０の４つの垂直な面の内、互いに対向する２面である正面１１および背面１２の方が、他の２面の右側面１３および左側面１４より広くなされている。AVラック１は、この筐体１０（正面１１および背面１２）によって、１つの空間を簡易的に仕切り、正面１１前方の空間と背面１２前方の空間の、２つの空間に分離する（例えばAVラック１の上方においては繋がっている等、厳密に分離されていなくてもよい）ための壁（パーティション）として設置されることができるようになされている。
【００３１】
つまり、AVラック１は、パーティションとして空間（部屋等）を仕切るように設置され、分離した空間に面する正面１１および背面１２にはそれぞれ棚が設けられ、正面１１と背面の両方からユーザが物を置いたり取り出したり、または設置されたAV機器の操作等を行うことができる（アクセスすることができる）ようになされている。
【００３２】
正面１１の左右方向中央には、後述するように、格子状の仕切り板により仕切られて形成される行列状の複数の棚が設けられている。図１に示されるAVラック１の場合、縦４段×横３列の１２個の棚が設けられており、そのうち、上３段の９個の棚は、それぞれ、各棚の開口面と略同じ大きさおよび形状の（棚より一回り小さい）正面を有するモニタ（モニタ２１乃至モニタ２９）を正面１１前方に向けて設置することができるようになされている。モニタ２１乃至モニタ２９の仕様は、互いに等しく、その大きさや形状も互いに同一である。
【００３３】
最下段の３個の棚（棚３１乃至棚３３）は、ユーザが所望の物を置くための棚であり、ユーザが正面１１および背面１２の両方からアクセスすることができるように、正面１１と背面１２の両方に開口している。すなわち、棚３１乃至棚３３の部分は、正面１１と背面１２とで貫通している。棚３１乃至棚３３には、何が設置されるようにしてもよいが、例えば、本、雑誌、CD-ROM（Compact Disc - Read Only Memory）やDVD-ROM（Digital Versatile Disc - Read Only Memory）等のメディア、置時計、小物等が設置される。
【００３４】
筐体１０の、これらの棚部分の左横部分４１と右横部分４２は、筐体１０の構造上の強度を確保するために十分な大きさを有するように形成される。上述した棚部分は、開口部分が多くなる構造のため、筐体１０の強度が低下してしまう。AVラック１の筐体１０は、棚部分の構造による強度の低下を抑制するために、棚部分の左横部分４１と右横部分４２の大きさを十分に大きくとっている（棚部分の占める割合を少なくしている）。なお、筐体１０の強度をさらに強いものとするために、この左横部分４１と右横部分４２を、例えば鉄骨等の補強材を用いて構成するようにしてもよい。
【００３５】
筐体１０の、棚部分の下部分４３の内部には、棚に設置されたモニタ２１乃至モニタ２９に電源やテレビジョン信号等を供給する制御ユニットを収納するための空間が設けられている。制御ユニットはこの空間に設置され、ケーブル等を介して各モニタやAVラック１の外部の設備と接続される。
【００３６】
図２は、図１の筐体１０の正面１１の一部（棚に設置されたモニタ２５）の拡大図である。
【００３７】
図１の棚３１乃至棚３３の上には、図２に示されるように、仕切り板６１乃至仕切り板６４により格子状に仕切られ、長方形に開口する９つの棚（棚５１乃至棚５９）が行列状に設けられる。棚５１乃至棚５９は、固定部が設けられており、それぞれ、モニタ２１乃至モニタ２９を固定的に設置することができるようになされている。つまり、中央の棚５５は、その左右方向を仕切り板６１および仕切り板６２により棚５４および棚５６と仕切られており、その上下方向を仕切り板６３および仕切り板６４により棚５２および棚５８と仕切られている。
【００３８】
図２のモニタ２５の筐体は、略直方体の形状をなしており、正面（画像を表示する面）の縦方向および横方向の長さが、筐体の大きさ（縦方向および横方向の長さ）となる。図２に示されるように、棚５５の開口面の大きさおよび形状は、モニタ２５の正面と略同じである。付言すると、モニタ２５の正面の大きさは、モニタ２５が棚５５に収納可能な程度に、棚５５の開口面より一回り小さい。なお、モニタ２５の筐体の奥行き方向の長さは、棚５５の奥行き方向の長さより短い。すなわち、モニタ２５は、図２に示されるように、モニタ２５の正面が棚５５の開口面を略塞ぐような状態で、棚５５に収納（設置）される。
【００３９】
ユーザは、モニタ２５をその正面から螺子７１および螺子７２によって、棚５５に設けられた後述する固定部に固定する（螺子止めする）ことにより、モニタ２５を棚５５に設置する。つまり、図示は省略するが、モニタ２５および固定部には螺子７１および螺子７２に螺合する螺子孔が設けられており、ユーザは、各螺子孔に螺子７１および螺子７２を通すことにより、モニタ２５と固定部を螺子止めする。
【００４０】
その他の棚（棚５１乃至棚５４、並びに、棚５６乃至棚５９）についても棚５５と同様であり、それぞれ、モニタ２１乃至モニタ２４、並びに、モニタ２６乃至モニタ２９の正面と略同じ大きさかつ形状の開口面を有する。従って、各棚には、図２に示される棚５５と同じように、各モニタが（正面からの螺子止めにより）設置される。
【００４１】
すなわち、ユーザは、容易にモニタ２１乃至モニタ２９を棚５１乃至棚５９のそれぞれに設置することができる。つまり、ユーザはAVラック１に複数のモニタを容易に設置することができる。
【００４２】
以上のようにユーザが各棚にモニタをそれぞれ設置することにより、図１に示されるように、AVラック１には、モニタ２１乃至モニタ２９が、正面１１前方に向かうように、行列状に（互いに略隙間無く）設置される。
【００４３】
このとき、棚５１乃至棚５９の開口面の大きさおよび形状がモニタ２１乃至モニタ２９の正面と略同じであるので、例えば、棚５１乃至棚５９の一部の棚にのみ、モニタが設置されるような場合であっても、棚に設置されたモニタの正面と、モニタが設置されていない棚の開口面との形状および大きさが互いに略同じになる。つまり、モニタが設置された棚も、モニタが設置されていない棚も正面１１の景観が互いに略同じになるので、筐体１０の正面１１の美観の低下を抑制することができる。すなわち、AVラック１は、モニタの設置の有無によるデザイン性の低下を抑制することができる。
【００４４】
図３は、筐体１０の上側からみた棚５５の透視図である。図３中の下側が正面１１側であり、上側が背面１２側である。
【００４５】
図３に示されるように、棚５５は、仕切り板６１および仕切り板６２により左右方向に挟まれる空間である。棚５５の正面１１側は、開口しており、モニタ２５が設置される。また、棚５５の背面１２側は、背面板８１により塞がれている。仮に棚５５の背面１２側が開口していると、モニタ２５が設置された場合、そのモニタ２５の背面や配線等が、背面１２側から見えてしまい、美観を損ねる。背面板８１は、設置されたモニタ２５の裏側をユーザに見えないように隠し、背面１２側のデザイン性の低下を抑制するためのものである。なお、背面板８１は、棚５５の開口部を塞ぐことによりさらに、筐体１０の強度も強くする。
【００４６】
この背面板８１は、他の棚（棚５１乃至棚５４、並びに、棚５６乃至棚５９）にも棚５５と同様に設けられる。つまり、AVラック１は、この背面板８１により、モニタの設置の有無による、背面１２側のデザイン性の低下を抑制することができる。
【００４７】
なお、背面板８１は、着脱可能（開閉可能）に設けられるようにしても良い。また、背面板８１は、全ての棚（棚５１乃至棚５９）の背面を塞ぐ共通の１枚の板により構成されるようにしてもよいし、各棚または一部の棚の背面板８１が他の棚の背面板８１と独立しているようにしてもよい。
【００４８】
棚５５の内部（仕切り板６１および仕切り板６２の内側の面）には、モニタ２５を固定するための固定部９１および固定部９２が設けられている。上述したように、この固定部９１および固定部９２には、それぞれ、螺子孔が設けられており、螺子７１および螺子７２によってモニタ２５を螺子止めすることができるようになされている。棚５５に設置されるモニタ２５に電力、テレビジョン信号、制御信号、映像信号、および音声信号等を供給する各種のケーブルにより構成されるケーブル１１５は、モニタ２５の背面に接続される。仕切り板６２は、内部にケーブルを配線するための配線用空間１０１を有している。ケーブル１１５は、この配線用空間１０１内に配線され、制御ユニットとモニタ２５を接続する。
【００４９】
この配線用空間１０１は、例えば、仕切り板６１や背面板８１等、他の部分に設けられるようにしてもよい。
【００５０】
AVラック１は、このように内部にケーブルを配線するためのスペースを有しており、これにより、モニタの設置の有無によるデザイン性の低下を抑制することができる。
【００５１】
図４は、筐体１０の右側面１３からみた棚５５の透視図である。図４中の左側が正面１１側であり、右側が背面１２側である。
【００５２】
図４に示されるように、配線用空間１０１は、仕切り板６２内部に縦方向に延材するスペースであり、下部分４３までつながっている。モニタ２５の背面に接続されるケーブル１１５は、開口部１２５を介してこの配線用空間１０１を通って、下部分４３内に収納されている制御ユニットに接続される。この配線により、制御ユニットとモニタ２５は、電気的に接続され、制御ユニットからモニタ２５に電力や各種信号等が供給される。
【００５３】
つまり、配線用空間１０１は、棚５５の上にある棚５２の配線用空間と、棚５５の下にある棚５８の配線用空間も兼ねており、例えば、図４に示されるように、棚５２に設置されているモニタのケーブル１１２も同じ配線用空間１０１に配線される。もちろん、棚５８や、それ以外の棚のモニタのケーブルも配線用空間１０１に配線されるようにしてもよい。
【００５４】
なお、このような配線用空間１０１は、他の仕切り板にも設けられていてもよく、AVラック１に複数の配線用空間が設けられていてもよい。さらに、縦方向だけでなく横方向の仕切り板や仕切り板以外の部材内部に配線用空間１０１が設けられるようにしてももちろんよい。
【００５５】
図５は、AVラック１全体の配線の様子の例を示す模式図である。図５においては、AVラック１に設置されたモニタ２１乃至モニタ２９が、ケーブル１５１によって、下部分４３の内部の空間１３１乃至空間１３３に設置された制御ユニット１４１乃至制御ユニット１４３に電気的に接続されている様子が示されている。
【００５６】
制御ユニット１４１乃至制御ユニット１４３は、それぞれ、モニタ２１乃至モニタ２９のうち、対応するモニタに電力や各種信号を供給する装置であり、ケーブル１５２を介してAVラック１の他の設備に接続される。
【００５７】
なお、点線で示されるケーブル１５１およびケーブル１５２は、いずれも複数のケーブルにより構成されるケーブル束を示している。つまり、モニタ２１乃至モニタ２９は、互いに独立して制御ユニット１４１乃至制御ユニット１４３に接続されている。また、図５において、ケーブル１５１およびケーブル１５２を示す点線は、各装置の接続関係を示すものであり、ケーブル１５１およびケーブル１５２の実際の配線位置を示すものではない。ケーブル１５１およびケーブル１５２の筐体１０内における配線の場所は任意である。
【００５８】
以上のように、AVラック１に設置されたモニタ２１乃至モニタ２９には、制御ユニット１４１乃至制御ユニット１４３により、電力や映像信号等が供給される。従って、AVラック１の正面１１側のユーザは、モニタ２１乃至モニタ２９に表示される画像を見ることができる。また、AVラック１の正面１１側のユーザは、棚３１乃至棚３３に所望のものを置いたり、棚３１乃至棚３３に置かれているものを取り出したりすることができる。
【００５９】
AVラック１の背面１２側には、モニタ２１乃至モニタ２９が設置されない。従って、AVラック１の背面１２側のユーザは、その位置からモニタ２１乃至モニタ２９に表示される画像を見ることはできないが、棚３１乃至棚３３に所望のものを置いたり、棚３１乃至棚３３に置かれているものを取り出したりすることができる。
【００６０】
以上のように、AVラック１は、複数のモニタを容易に設置することができ、さらに、各モニタの設置の有無によるデザイン性の低下を抑制することができる。
【００６１】
なお、図５においては、AVラック１が制御ユニットを３台（制御ユニット１４１乃至制御ユニット１４３）有するように説明したが、AVラック１に設置される制御ユニットの数は、AVラック１に設置されるモニタ２１乃至モニタ２９の全てに電力や信号等を供給可能であれば、いくつであってもよい。
【００６２】
例えば、上述した各モニタ（モニタ２１乃至モニタ２９）が、電池等の電力源やテレビジョン信号受信用チューナ等を備え、それぞれテレビジョン受像機として機能する場合、上述した配線や制御ユニットは不要になる。このような場合、AVラック１は、筐体１０の内部に、配線を収納するための空間（例えば、配線用空間１０１）や制御ユニットを収納するための空間（例えば、空間１３１乃至空間１３３）を有していなくてもよい。
【００６３】
また、AVラック１が、棚５１乃至棚５９に設置されたモニタ２１乃至モニタ２９の排熱を補助するようにしてもよい。
【００６４】
図６は、筐体１０の上側からみた棚５５の透視図の他の例である。図３と対応しており、図６中の下側が正面１１側であり、上側が背面１２側である。
【００６５】
図６の場合、図３と異なり、設置されたモニタ２５の背面２５Ａに接するように放熱板１６１が設けられている。このとき、モニタ２５は、背面２５Ａより熱を排出する。放熱板１６１は、例えば金属等の熱伝導性の高い素材により構成される板状の部材であり、仕切り板６１および仕切り板６２に接するように固定されている。モニタ２５が棚５５に設置されると、その背面２５Ａがこの放熱板１６１に接する。つまり、放熱板１６１は、モニタ２５の排出した熱を、仕切り板６１および仕切り板６２に伝導させる（伝導を補助する）ように設けられている。
【００６６】
この放熱板１６１により、棚５５に設置されたモニタ２５の排熱処理の効率が向上する。なお、この放熱板１６１は、他の棚（棚５１乃至棚５４、並びに、棚５６乃至棚５９）の一部または全部にも設けるようにしてももちろんよい。
【００６７】
このように各棚に放熱板１６１を設けることにより、AVラック１は、各棚に設置されたモニタの排熱処理の効率を向上させ、熱暴走等の誤動作を抑制することができる。
【００６８】
図７は、本発明を適用したAVラックの他の実施形態の構成を表している。
【００６９】
図７に示されるAVラック２０１は、基本的に図１のAVラック１と同様の構成であり、４つの垂直面のうち、正面２１１および背面２１２が右側面２１３および左側面２１４より広い直方体状の筐体２１０を有している。つまり、AVラック２０１は、AVラック１と同様に、その筐体２１０により１つの空間を簡易的に仕切り、２つの空間にするパーティションとして設置される。
【００７０】
AVラック２０１には、AVラック１の場合と同様に、９つのモニタ（モニタ２１乃至モニタ２９）が、筐体２１０の正面２１１の前方に向けて行列状に設置される。また、AVラック２０１は、AVラック１と同様に、そのモニタ群の下に棚３１乃至棚３３と同様の棚２３１乃至棚２３３を有する。つまり、棚２３１乃至棚２３３は、正面２１１側と背面２１２側の両方に開口している。
【００７１】
また、AVラック２０１は、棚部分の左横部分２４１と右横部分２４２が、AVラック１の左横部分４１および右横部分４２と同様に、AVラック２０１の強度を強くするために、大きく構成される。さらに、AVラック２０１の下部分２４３の内部には、AVラック１の下部分４３の場合と同様に制御ユニットが収納される。
【００７２】
しかしながら、AVラック２０１は、図１のAVラック１と異なり、行列状に並べられたモニタの１行分、つまり、水平方向に直線状に並べられた複数のモニタを収納することができる棚（例えば棚２５１）を、縦方向に３段分有する。つまり、棚２５１は、モニタ２１乃至モニタ２３を設置することができ、その下の棚は、モニタ２４乃至モニタ２６を設置することができ、さらにその下の棚は、モニタ２７乃至モニタ２９を設置することができる。また、各棚には回転軸が設けられており、設置されたモニタをまとめてこの回転軸を軸として回転することができるようになされている。
【００７３】
例えば、棚２５１の場合、棚２５１の中央付近に回転軸２６１が設けられており、モニタ２１乃至モニタ２３は、並べられた状態のまま、回転軸２６１を軸として左右方向に回転可能に設置されている。
【００７４】
なお、モニタ２４乃至モニタ２９もモニタ２１乃至モニタ２３と同様に回転軸を軸として回転可能に設置される。つまり、AVラック２０１のモニタを設置する各棚（例えば棚２５１）は、正面２１１側だけでなく背面２１２側も開口している。
【００７５】
図８は、図７の筐体２１０の正面２１１の一部（棚部分）の拡大図である。
【００７６】
図８に示されるように、AVラック２０１は、仕切り板２７１乃至仕切り板２７４により仕切られた、それぞれ複数のモニタを設置可能な棚２５１乃至棚２５３を有している。棚２５１乃至棚２５３には、順に、モニタ２１乃至モニタ２３、モニタ２４乃至モニタ２６、モニタ２７乃至モニタ２９が設置される。棚２５１乃至棚２５３の高さ（図８中縦方向の長さ）は、いずれも図８に示されるように、モニタの高さと略同じであり、モニタよりやや大きい（モニタを収納可能なようになされている）。棚２５１乃至棚２５３の幅（図８中横方向の長さ）は、モニタ３台分の幅より大きく、両矢印で示されるように、所定の幅が設けられ、モニタが回転しても筐体２１０に当たらないようになされている。
【００７７】
棚２５１の３つのモニタ（モニタ２１乃至モニタ２３）は、１枚の板状の連結板２８１に固定される。この連結板２８１は、棚２５１に設けられた柱状の回転軸２６１に、その回転軸２６１の長手方向を軸として回転可能に設置されている。つまり、この連結板２８１が回転軸２６１を軸として回転することにより、モニタ２１乃至モニタ２３も回転軸２６１を軸として回転する。このとき、例えば、連結板２８１に固定されたモニタ２１乃至モニタ２３は、互いに略隙間なく、互いに同じ方向に向くように、横方向に並べられた状態で固定（連結）されている。
【００７８】
同様に、棚２５２には、回転軸２６１と同様の回転軸２６２が設けられており、その長手方向を軸として回転可能に設置される、連結板２８１と同様の連結板２８２に、モニタ２４乃至モニタ２６が固定される。
【００７９】
また同様に、棚２５３には、回転軸２６１と同様の回転軸２６３が設けられており、その長手方向を軸として回転可能に設置される、連結板２８１と同様の連結板２８３に、モニタ２７乃至モニタ２９が固定される。
【００８０】
以上のようにユーザが各棚にモニタをそれぞれ設置することにより、図７に示されるように、AVラック２０１には、モニタ２１乃至モニタ２９が、例えば正面２１１前方に向かうように、行列状に（互いに略隙間無く）、かつ、棚ごとに回転可能に設置される。
【００８１】
このとき、棚２５１乃至棚２５３の開口面の大きさ（特に高さ）および形状が、それぞれモニタ２１乃至モニタ２３のモニタ３台分、モニタ２４乃至モニタ２６のモニタ３台分、またはモニタ２７乃至モニタ２９のモニタ３台分の正面と略同じであるので、例えば、全てのモニタ（モニタ２１乃至モニタ２９のいずれか）が設置されていないような場合であっても、各棚（棚２５１乃至棚２５３）のデザイン（形状および大きさ）は大きく変化しない。つまり、モニタが設置されている部分も、モニタが設置されていない部分も正面２１１の景観が互いに略同じになるので、筐体２１０の正面２１１の美観の低下を抑制することができる。すなわち、AVラック２０１は、モニタの設置の有無によるデザイン性の低下を抑制することができる。
【００８２】
図９は、筐体２１０の上側からみた棚２５１の透視図である。図９中の下側が正面２１１側であり、上側が背面２１２側である。
【００８３】
図９に示されるように、棚２５１は、連結板２８１が回転動作することができるように、正面２１１側にも、背面２１２側にも開口している。棚２５１の中央付近に回転軸２６１が設けられており、連結板２８１は、所定の固定具である接続部３０１により、回転軸２６１に回転可能に固定される。
【００８４】
モニタ２１乃至モニタ２３は、その背面を、連結板２８１の前面に接触させて固定される。このとき、モニタ２１は、連結板２８１の背面側より１つまたは複数の螺子（例えば螺子２９１および螺子２９２）により固定される（螺子止めされる）。つまり、連結板２８１およびモニタ２１の背面には、螺子２９１および螺子２９２に螺合する螺子孔が予め設けられている。
【００８５】
同様に、モニタ２２は、連結板２８１の背面側より、例えば螺子２９３および螺子２９４により固定される（螺子止めされる）。また、同様に、モニタ２３は、連結板２８１の背面側より、例えば螺子２９５および螺子２９６により固定される（螺子止めされる）。
【００８６】
例えば、ユーザが白抜き矢印３１１で示されるように、正面２１１前方よりモニタ２１付近を棚２５１の奥に押し込むように押すと、モニタ２１乃至モニタ２３は、点線矢印３１２および点線矢印３１３に示されるように、連結板２８１ごと回転軸２６１を軸として、背面２１２側を向くまで回転する。モニタ２１乃至モニタ２３が背面２１２側を向いた状態において、今度はユーザが背面２１２前方よりモニタ２１付近を再度棚２５１の奥に押し込むように押すと、モニタ２１乃至モニタ２３は、さらに、連結板２８１ごと回転軸２６１を軸として、正面２１１側を向くまで回転する。
【００８７】
つまり、AVラック２０１の場合、正面２１１側の空間のユーザだけでなく背面２１２側の空間のユーザもAVラック２０１に設置されたモニタに表示される画像を見ることができる。
【００８８】
なお、連結板２８１の内部には、連結板２８１に固定されるモニタ２１乃至モニタ２３のケーブルを配線するための配線用空間３２１が設けられており、さらに、回転軸２６１の内部にも、モニタ２１乃至モニタ２３のケーブルを配線するための配線用空間３２２が設けられている。
【００８９】
つまり、モニタ２１乃至モニタ２３のケーブル３３１は、配線用空間３２１および配線用空間３２２内に配線され、それぞれのモニタの背面と制御ユニットを接続する。
【００９０】
このように、各モニタのケーブルは連結板２８１や回転軸２６１内部の配線用空間を通るように配線されるので、モニタの裏側からもケーブルが見えないようになされている。このようにすることにより、AVラック２０１は、モニタの裏側のケーブル配線によるデザイン性（美観）の低下を抑制することができる。
【００９１】
なお、他の棚（棚２５２および棚２５３）も、図１０に示されるように、同様の構成を有しており、ユーザは、上述したようにモニタを押し込むことにより、棚ごとにモニタの向きを正面２１１側または背面２１２側に変えることができる。
【００９２】
図１０は、筐体２１０の右側面２１３からみた棚２５１乃至棚２５３の透視図である。図１０中の左側が正面２１１側であり、右側が背面２１２側である。
【００９３】
図１０に示されるように、回転軸２６１内の配線用空間３２２は、回転軸２６２および回転軸２６３内にも繋がっており、仕切り板２７４までつながっている。さらに、図示は省略するが、配線用空間３２２は、仕切り板２７４内から筐体２１０の他の部分を介して棚２３１乃至棚２３３の下部分２４３にまで通じている。つまり、各モニタの背面に接続されるケーブル（例えば、ケーブル３３１乃至ケーブル３３３）は、各棚の連結板内の配線用空間（例えば配線用空間３２１）を介してこの配線用空間３２２を通り、下部分４３内に収納されている制御ユニットに接続される。この配線により、制御ユニットと各モニタが電気的に接続され、制御ユニットから各モニタに電力や各種信号等が供給される。
【００９４】
図１１は、AVラック２０１全体の配線の様子の例を示す模式図である。図１１においては、AVラック２０１に設置されたモニタ２１乃至モニタ２９が、ケーブル３６１によって、下部分４３の内部の空間３４１乃至空間３４３に設置された制御ユニット３５１乃至制御ユニット３５３に電気的に接続されている様子が示されている。
【００９５】
制御ユニット３５１乃至制御ユニット３５３は、それぞれ、図５の制御ユニット１４１乃至制御ユニット１４３と同様であり、モニタ２１乃至モニタ２９のうち、対応するモニタに電力や各種信号を供給する装置であり、ケーブル３６２を介してAVラック２０１の他の設備に接続される。
【００９６】
なお、点線で示されるケーブル３６１およびケーブル３６２は、いずれも複数のケーブルにより構成されるケーブル束を示している。つまり、モニタ２１乃至モニタ２９は、互いに独立して制御ユニット３５１乃至制御ユニット３５３に接続されている。また、図１１においてケーブル３６１およびケーブル３６２を示す点線は、各装置の接続関係を示すものであり、その点線位置がケーブル３６１およびケーブル３６２の実際の配線位置を示すものではない。ケーブル３６１およびケーブル３６２の筐体２１０内における配線の場所は任意である。
【００９７】
以上のように、AVラック２０１に設置されたモニタ２１乃至モニタ２９には、制御ユニット３５１乃至制御ユニット３５３により、電力や映像信号等が供給される。従って、AVラック２０１の正面２１１側のユーザは、モニタ２１乃至モニタ２９に表示される画像を見ることができる。また、AVラック２０１の正面２１１側のユーザは、棚３１乃至棚３３に所望のものを置いたり、棚３１乃至棚３３に置かれているものを取り出したりすることができる。
【００９８】
なお、上述したように、ユーザは、モニタ２１乃至モニタ２９の向きを変更し、背面２１２側に向けることもできる。従って、AVラック２０１の背面２１２側のユーザも、モニタ２１乃至モニタ２９に表示される画像を見ることができる。また、AVラック２０１の背面２１２側のユーザは、正面２１１側のユーザと同様に、棚３１乃至棚３３に所望のものを置いたり、棚３１乃至棚３３に置かれているものを取り出したりすることができる。
【００９９】
以上のように、AVラック２０１は、複数のモニタを、回転可能に、容易に設置することができるだけでなく、さらに、各モニタの設置の有無によるデザイン性の低下を抑制することができる。
【０１００】
また、AVラック２０１は、設置されたモニタを、棚毎に正面２１１または背面２１２のいずれか一方に向けることができる。換言すると、AVラック２０１は、画像を表示する位置（高さ）を正面２１１と背面２１２とで互いに異なるようにすることができる。
【０１０１】
つまり、例えば、AVラック２０１は、一番上の棚のモニタ（図７の場合、モニタ２１乃至モニタ２３）が正面２１１側に向けられることにより、正面２１１前方の空間のユーザが立位姿勢において見やすいように、高い位置で画像をモニタに表示させることができる。さらに、このとき、一番下の棚のモニタ（図７の場合、モニタ２７乃至モニタ２９）が背面２１２側に向けられることにより、背面２１２前方の空間のユーザが座位姿勢において見やすいように、低い位置で画像をモニタに表示させることができる。
【０１０２】
このように各空間のユーザは、AVラック１に対して、好みの高さのモニタをユーザの側に向けることができる。
【０１０３】
なお、図１１においては、AVラック２０１が制御ユニットを３台（制御ユニット３５１乃至制御ユニット３５３）有するように説明したが、AVラック２０１に設置される制御ユニットの数は、AVラック２０１に設置されるモニタ２１乃至モニタ２９の全てに電力や信号等を供給可能であれば、いくつであってもよい。
【０１０４】
例えば、上述した各モニタ（モニタ２１乃至モニタ２９）が、電池等の電力源やテレビジョン信号受信用チューナ等を備え、それぞれテレビジョン受像機として機能する場合、上述した配線や制御ユニットは不要になる。このような場合、AVラック２０１は、筐体２１０の内部に、配線を収納するための空間（例えば、配線用空間３２１および配線用空間３２２）や制御ユニットを収納するための空間（例えば、空間３４１乃至空間３４３）を有していなくてもよい。
【０１０５】
また、各棚の連結板（連結板２８１乃至連結板２８３）を、例えば金属等の熱伝導性の高い素材を用いて構成するようにすることにより、AVラック２０１は、モニタ２１乃至モニタ２９がその背面において行う排熱処理を補助することも可能である。
【０１０６】
以上においては、AVラック１およびAVラック２０１がいずれも９個のモニタを設置可能であるように説明したが、AVラック１およびAVラック２０１の設置可能なモニタの数（すなわち、モニタを設置可能な棚の数）は、いくつであってもよい。また、各モニタの配置の仕方（例えば、縦方向の数や横方向の数）も任意である。さらに、各棚の形状も、そこに設置されるモニタの形状との対応がとれているのであれば、どのような形状であってもよい。
【０１０７】
また、以上においては、AVラック１およびAVラック２０１の筐体が直方体状であるように説明したが、筐体の形状はどのような形であってもよい。例えば、AVラック１およびAVラック２０１の正面や背面等、筐体の各面は、平面であってもよいし曲面であってもよい。また各モニタの設置向きは、必ずしも全て同一方向でなくてもよい。さらに、以上においては、AVラック１およびAVラック２０１は、パーティションとして設置されるように説明したが、ユーザが、AVラック１およびAVラック２０１を、例えば、通常の家具のように、壁際に設置することも可能である。
【０１０８】
なお、本発明の実施の形態は、上述した実施の形態に限定されるものではなく、本発明の要旨を逸脱しない範囲において種々の変更が可能である。
【図面の簡単な説明】
【０１０９】
【図１】本発明を適用したAVラックの実施形態の構成を表している。
【図２】図１の筐体の正面の一部の拡大図である。
【図３】筐体の上側からみた棚の透視図である。
【図４】筐体の右側面からみた棚の透視図である。
【図５】AVラック全体の配線の様子の例を示す模式図である。
【図６】筐体の上側からみた棚の透視図の他の例である。
【図７】本発明を適用したAVラックの他の実施形態の構成を表している。
【図８】図７の筐体の正面の一部の拡大図である。
【図９】筐体の上側からみた棚の透視図である。
【図１０】筐体の右側面からみた棚の透視図である。
【図１１】AVラック全体の配線の様子の他の例を示す模式図である。
【符号の説明】
【０１１０】
１  AVラック，  １０  筐体，  １１  正面，  １２  背面，  ２１乃至２９  モニタ，  ３１乃至３３  棚，  ５１乃至５９  棚，  ６１乃至６４  仕切り板，  ７１および７２  螺子，  ８１  背面板，  ９１および９２  固定部，  １０１  配線用空間，  １１５  ケーブル，  １２５  開口部，  １３１乃至１３３  空間，  １４１乃至１４３  制御ユニット，  １５１および１５２  ケーブル，  １６１  放熱板，  ２０１  AVラック，  ２１０  筐体，  ２１１  正面，  ２１２  背面，  ２３１乃至２３３  棚，  ２５１乃至２５９  棚，  ２６１乃至２６３  回転軸，  ２７１乃至２７４  仕切り板，  ２８１乃至２８３  連結板，  ２９１乃至２９６  螺子，  ３０１乃至３０３  接続部，  ３２１および３２２  配線用空間，  ３３１  ケーブル，  ３４１乃至３４３  空間，  ３５１乃至３５３  制御ユニット，  ３６１および３６２  ケーブル
【図１】
0005132047.tif 000002
【図２】
0005132047.tif 000003
【図３】
0005132047.tif 000004
【図４】
0005132047.tif 000005
【図５】
0005132047.tif 000006
【図６】
0005132047.tif 000007
【図７】
0005132047.tif 000008
【図８】
0005132047.tif 000009
【図９】
0005132047.tif 000010
【図１０】
0005132047.tif 000011
【図１１】
0005132047.tif 000012